(57)【特許請求の範囲】
【請求項１】
画像入力手段、カテゴリ入力手段、特定情報入力手段、画像データ特定手段、仮登録手段、公開手段、投票入力手段、及び本登録手段を備えるコンピュータによるサイバー図鑑分類方法であって、
前記画像入力手段が、画像データを取り込んで、当該画像データを表示手段に表示する工程と、
前記カテゴリ入力手段が、前記画像データが属するカテゴリの指定の入力を受け付ける工程と、
前記特定情報入力手段が、前記カテゴリに基づく前記画像データ特定のための特定情報の入力を受け付ける工程と、
前記画像データ特定手段が、前記特定情報から前記画像データを特定する工程と、
前記仮登録手段が、前記特定結果に対して、前記画像データの対象物が図鑑データと同じ範囲にあるか、又は図鑑データと異なる個所があるかについての判断に関する情報を受け付け、当該情報に基づいて、前記画像データを図鑑データとして図鑑データベースに仮登録する又は前記画像データの図鑑データと異なる個所を質問データとして質問データベースに仮登録する工程と、
前記公開手段が、前記仮登録された図鑑データ又は質問データをネットワークを介して他の利用者に公開する工程と、
前記投票入力手段が、前記ネットワークを介して、前記公開されたデータに対する投票を入力する工程と、
前記本登録手段が、前記投票入力の結果に基づいて前記画像データを正式な図鑑データとして図鑑データベースに本登録するかを決定する工程と、を有することを特徴とするサイバー図鑑データ分類方法。
【請求項２】
請求項１記載のサイバー図鑑データ分類方法における工程をコンピュータに実行させるためのプログラムを記録したことを特徴とする記録媒体。
【発明の詳細な説明】
【０００１】
【発明の属する技術分野】
本発明は、観察者が種々の場面で収集してきた試料等のデータを大勢の人の知識を結集して分類し、データとして登録できるようにするサイバー図鑑分類方法に関するものである。
【０００２】
【従来の技術】
従来、観察者が種々の場面、例えば昆虫採集、植物採集で収集したデータがどの分類に属するか等の知識は、特定の専門家の判断によることが多かった。
【０００３】
【発明が解決しようとする課題】
上記従来の分類方法では、分類の判断を行う専門家が不在であったり、多忙であったりした場合に分類、登録ができず、また迅速な対応もできないといとう欠点があった。
【０００４】
本発明は、かかる背景の下、大勢の人の知識を結集して分類し、データとして登録できるようにするサイバー図鑑データ分類方法を提供することを課題とする。
【０００５】
【課題を解決するための手段】
上記課題を解決するため、本発明は、画像入力手段、カテゴリ入力手段、特定情報入力手段、画像データ特定手段、仮登録手段、公開手段、投票入力手段、及び本登録手段を備えるコンピュータによるサイバー図鑑分類方法であって、前記画像入力手段が、画像データを取り込んで、当該画像データを表示手段に表示する工程と、前記カテゴリ入力手段が、前記画像データが属するカテゴリの指定の入力を受け付ける工程と、前記特定情報入力手段が、前記カテゴリに基づく前記画像データ特定のための特定情報の入力を受け付ける工程と、前記画像データ特定手段が、前記特定情報から前記画像データを特定する工程と、前記仮登録手段が、前記特定結果に対して、前記画像データの対象物が図鑑データと同じ範囲にあるか、又は図鑑データと異なる個所があるかについての判断に関する情報を受け付け、当該情報に基づいて、前記画像データを図鑑データとして図鑑データベースに仮登録する又は前記画像データの図鑑データと異なる個所を質問データとして質問データベースに仮登録する工程と、前記公開手段が、前記仮登録された図鑑データ又は質問データをネットワークを介して他の利用者に公開する工程と、前記投票入力手段が、前記ネットワークを介して、前記公開されたデータに対する投票を入力する工程と、前記本登録手段が、前記投票入力の結果に基づいて前記画像データを正式な図鑑データとして図鑑データベースに本登録するかを決定する工程と、を有することを特徴とする。
【０００８】
さらには、上記のサイバー図鑑データ分類方法における工程をコンピュータに実行させるためのプログラムを記録したことを特徴とする。
【００１０】
本発明は、観察者自身がその採取したデータの分類が不明または確信がもてないときには、クイズ番組のように、特定の質問コーナを設け、該当する部位等を画像上で指定させることにより、データの分類を特定し、特定した結果に対する観察者の確信の有／無により、図鑑データとして図鑑データベースに、あるいはメモ、コメントとして質問データに仮登録する。この仮登録されたデータを多数の判断者に投票させることにより分類するものである。
【００１１】
本発明によれば、観察者自身が収集したデータをネットワークの図鑑データに仮登録することにより、全国あるいは全世界からの反応を直ちに受けることができる。これにより観察者は自己の判断に対する経験を積むことができる。
【００１２】
また、新しい品種らしきものが掲載された場合には、ネットワークの他の利用者と相互に通信し合い、かかるやりとりを他の利用者が参照できるようにすることによって、同じ興味をもつ人々同志のコミュニケーションの輪を広げるこのにも役立つものである。
【００１３】
以上のように、本発明は、大勢の人の知識を持ちよることによって、より充実した図鑑データベースを構築することができるように作用する。
【００１４】
【発明の実施の形態】
以下、本発明を実施形態例に沿って詳細に説明する。
【００１５】
図１は、本発明の図鑑データ分類方法の一実施形態例を示すフローチャートである。
【００１６】
図２は、本実施形態例において分類チエックフローを選択するフローを説明する図である。１は採取したデータの属するカテゴリーを指定するもので、この場合は地上、２の場合は水中である。１１から１３は前記カテゴリーの下位概念を示すもので、それぞれ動物、植物、生物である。１１１は更にその下位概念を示すもので、この場合は昆虫チェックフローである。同様にして、２１は水中２の下位概念である海、２２は川、２３は池といった具合である。
【００１７】
図３は、上記で選択された昆虫チェックフローを示すフローチャートである。
【００１８】
図４は、本実施形態例における画面表示例である。３は、観察者が採取したデータを分類する場合の画面、３１は採取したデータを取り込んだ動画像または静止画像であり、カーソルで必要個所を指定できる。３２は、観察データの詳細データ、例えば、いつ、どこで取れた等を表示する。
【００１９】
図５は、本実施形態例における仮登録データの表示例を示したものである。４は図鑑データベースの画面である。４１は、観察者が自分で推定したことを表示する欄である。４２は収集画像データ、４３は観察者、観察データ等である。４４は、ネットワーク利用者の判断を仰ぐ欄である。
【００２０】
以下、図１から図５に基づいて本分類方法の工程を説明する。
【００２１】
まず、観察者は自己が採取または観察したデータを画像ファイルに収録する。すると画面３に取り込んだデータが表示される。
【００２２】
次に、この画像データがどの分類（カテゴリー）に属するかを図２のフローの質問事項に従って該当する部位をカーソルで指摘していく。例えば、ある物体を発見したとき、これが昆虫であると思ったときは、予め決められた分類項目である「地上１であるか？」「水中２であるか？」から始まって昆虫の項目にたどりつき、昆虫チェックフローが選択される。ここから昆虫に関する詳細な質問による分類チェックが始まる。
【００２３】
図３は、昆虫チェックフローを示すフローチャートである。このフローチャートから文字あるいは音声により、「昆虫は、頭、胴、腹がありますか？」「頭の部分はどこですか？カーソルで指示して下さい。」と質問する。そこで観察者は、指示に従ってカーソルで指示し、確認ボタンを押し、応答する。続いて「胴の部分はどこですか？カーソルで指示して下さい。」と指示する。前記と同様に観察者はカーソルで指示し、確認ボタンを押す。同様にして「腹の部分とこですか？カーソルで指示して下さい。」「足は６本ありますか？カーソルで指示して下さい。」「羽はありますか？カーソルで指示して下さい。」「はい」「いいえ」と質問し、応答する。「いいえ」の場合には次のような質問がくる。例えば、「どんな形をしていますか？次の参考図の中から似ていると思うものの番号を選んで下さい。」「どんな色をしていますか？」「大きさはどの位ですか？」等々の質問を繰り返し、対話的に分類作業を進めていく。この分類作業を進める中で、他にどのような生物や動物がいるかの知識を学習していくことができる。
【００２４】
このような分類作業を進めることにより、より収集データに近い物体に到達することができる。この結果を、分類結果として特定する。
【００２５】
次に、観察者は自分が収集した未知の物体が、図鑑の収集データと同じ範囲にあると確信した場合には、これは「＊＊の種類の仲間である＊＊である。」と結論して図鑑データベースに仮登録する。
【００２６】
一方、図鑑データの物体と異なる個所を見出した場合には、これをメモとして質問データに仮登録する。例えば、「これは＊＊種の仲間の＊＊と思われるが、＊＊＊が＊＊＊である点、＊＊＊が＊＊＊である点から新種の物体であると思われる。」と仮登録する。
【００２７】
次に、この仮登録された図鑑データおよび観察者の質問データ、コメントデータはネットワークを介して、他の利用者に公開される。
【００２８】
次に、これが公開されたとき、これを見た他の利用者が同様にこのデータは、＊＊であると思ったとき、もとの観察者の判断に賛成の投票をする。この投票結果は図鑑データベースの画面４の近傍４４に賛成と思う人＊＊人、違うと思う人＊＊人と表示される。
【００２９】
次に、このような投票結果として、一定期間に一定数の賛同者を得た場合には、正式な図鑑データとして本登録される。また、認定者のデータも参考として保存される。
【００３０】
なお、データベースヘの登録件数が非常に多くなりそうなときは、ネットワークの他の利用者に本登録する価値があるか否かの判断を付してアンケートをとることも可能である。
【００３１】
なお、図１、図２、図３で示した処理工程をコンピュータに実行させることができることは言うまでもなく、コンピュータにその処理工程を実行させるためのプログラムを、そのコンピュータが読み取り可能な記憶媒体、例えば、ＦＤ（フロッピーディスク）や、ＭＯ、ＲＯＭ、メモリカード、ＣＤ、ＤＶＤ、リムーバブルディスクなどに記録し、提供し、配布することが可能である。
【００３２】
【発明の効果】
以上説明したとおり、本発明によれば、観察者自身が収集したデータをネットワークの図鑑データに仮登録することにより、全国あるいは全世界からの反応を直ちに受けることができる。これにより観察者は、自己の判断に対する経験を積むことができる。
【００３３】
また、新しい品種らしきものが掲載された場合には、ネットワークを介して他の利用者と相互に通信しあい、このやりとりを他の利用者が参照することができる。このようにすることによって同じ興味を持つ人々同志のコミュニケーションの輪を広げることにも役立つ。
【００３４】
以上のように、本発明によれば、大勢の人々の知識を持ちよることにより、より充実した図鑑データベースを構築することができるという効果がある、
【図面の簡単な説明】
【図１】本発明の図鑑データ分類方法の一実施形態例を示すフローチャートである。
【図２】上記実施形態例において分類チェックフローを選択する工程を説明する図である。
【図３】上記実施形態例において選択された昆虫チェックフローを示すフローチャートである。
【図４】上記実施形態例における画面表示例を示す図である。
【図５】上記実施形態例における仮登録データの画面表示例を示す図である。
【符号の説明】
１…地上
１１…動物
１１１…昆虫チェックフロー
１２…植物
１３…生物
２…水中
２１…海
２２…川
２３…池
３…観察者が採取したデータを分類する場合の画面
３１…採取したデータを取り込んだ動画像または静止画像
３２…観察データの詳細データ
４…図鑑データベースの画面
４１…観察者が自分で推定したことを表示する欄
４２…収集画像テータ
４３…観察者・観察データ等
４４…ネットワーク利用者の判断を仰ぐ欄
【図１】
0003843193.tif 000002
【図２】
0003843193.tif 000003
【図３】
0003843193.tif 000004
【図４】
0003843193.tif 000005
【図５】
0003843193.tif 000006